【手続補正書】
【提出日】平成24年1月11日(2012.1.11)
【手続補正１】
【補正対象書類名】明細書
【補正対象項目名】００９０
【補正方法】変更
【補正の内容】
【００９０】
特許法に従って、ベストモード及び好ましい態様を記載したが、本発明の範囲は、これらに限定されるものではなく、付属する特許請求の範囲の範囲に限定されるものである。
以下に、本発明及びその関連態様を列挙する。
態様１．基体に適用されるように適合された少なくとも一つのベース層（該ベース層は硬化されており、該ベース層はエポキシ樹脂、ポリウレタン、ポリウレア、ポリウレタン−ウレア、ポリ（ビニルエステル）若しくはポリアクリル樹脂又はこれらの任意の組合せを含む）；
前記ベース層の少なくとも一部の頂部に接触し、配置された状態にある一つ又はそれ以上の非透明バインダー層（該一つ又はそれ以上のバインダー層は硬化されており、ポリウレタン、ポリウレタン−ウレア、ポリウレア、ポリエステル若しくはポリアクリル樹脂又はこれらの任意の組合せを含むが、該一つ又はそれ以上のバインダー層は該ベース層とは異なっている）；並びに
その中に部分的に埋設された複数の保護媒体粒子を有する該一つ又はそれ以上のバインダー層の露出された最上バインダー層若しくはその上に、その中に部分的に埋設された複数の保護媒体粒子を有する任意のバインダー層も有しない露出された表面を有する該ベース層部分又は両方
を含んでなり、該複数の保護媒体粒子が、該一つ又はそれ以上のバインダー層の最上表面よりも上に伸びている最上表面を有する反射性標識ラミネート物品。
態様２．反射性粒子を含有し、前記保護媒体粒子の最上表面が該反射性粒子の最上表面よりも上に伸びている態様１に記載の反射性標識ラミネート物品。
態様３．前記ベース層がエポキシ樹脂であり、前記反射性粒子がセラミック、ポリマー、ケイ酸塩、コンポジット粒子又はこれらの組合せを含み、そして前記保護媒体粒子が金属、ポリマー、石、岩、天然材料若しくは合成材料又はこれらの任意の組合せを含む態様２に記載の反射性標識ラミネート物品。
態様４．前記エポキシ樹脂がビスフェノールＡのジグリシジルエーテルであり、前記反射性粒子の重量基準で大部分が約０．０１２７ｍｍ〜約０．１７７８ｍｍの直径を有し、前記保護媒体粒子の重量基準で大部分が約０．５０８ｍｍ〜約３．１７５ｍｍの直径を有し、そしてそれぞれの前記一つ又はそれ以上のバインダー層が、独立に、ポリウレタン、ポリウレア又はポリウレタン−ウレアである態様３に記載の反射性標識ラミネート物品。
態様５．前記反射性粒子が固体であり、前記少なくとも１個のベース層の合計厚さが約０．１２７ｍｍ〜約０．７６２ｍｍであり、前記一つ又はそれ以上のバインダー層の合計厚さが約０．１２７ｍｍ〜約０．７６２ｍｍである態様４に記載の反射性標識ラミネート物品。
態様６．前記少なくとも一つのベース層の合計厚さが約０．２５４ｍｍ〜約０．５０８ｍｍであり、前記一つ又はそれ以上のバインダー層の合計厚さが約０．２５４ｍｍ〜約０．５０８ｍｍであり、前記最上のバインダー層が約１０又はそれ以下の、ＡＳＴＭ  Ｄ−１９２５に従った６００時間後の黄色度指数を有し、前記反射性粒子の保護媒体粒子に対する重量比が約１〜約２０である態様５に記載の反射性標識ラミネート物品。
態様７．前記エポキシ層がアミン硬化剤から誘導され、該アミン硬化剤が少なくとも第一アミン硬化剤（ａ）及び第二アミン硬化剤（ｂ）を含み、該アミン硬化剤（ａ）が、ａ＋ｂの約１０〜約９０重量％であり、そして該アミン硬化剤（ｂ）が、ａ＋ｂの約１０〜約９０重量％である態様１に記載の反射性標識ラミネート物品。
態様８．前記エポキシが少なくとも３種のアミン硬化剤から誘導され、第一アミン硬化剤（ａ）が約５〜約９０重量％であり、該第二アミン硬化剤（ｂ）が約５〜約９０重量％であり、そして該第三アミン硬化剤（ｃ）が約５〜約９０重量％である（ここで全てのパーセントがａ＋ｂ＋ｃの重量基準である）態様３に記載の反射性標識ラミネート物品。
態様９．前記エポキシが少なくとも３種のアミン硬化剤から誘導され、第一アミン硬化剤（ａ）が約５〜約９０重量％であり、前記第二アミン硬化剤（ｂ）が約５〜約９０重量％であり、そして前記第三アミン硬化剤（ｃ）が約５〜約９０重量％であり（ここで、全てのパーセントがａ＋ｂ＋ｃの重量基準であり、第一アミン硬化剤がアルキルフェノールと、一般式：
【化６】
2012504200.tif 000001
［式中、Ｒ1は炭素数１〜２０のアルキルであり、Ｒ2及びＲ3は、独立に、炭素数１〜１５であり、一緒に複素環式アルキルを形成し、Ｒ4は水素又はＲ5ＮＨＲ7若しくはＲ6ＮＨＲ7（式中、Ｒ5は炭素数１〜１０のアルキルであり、Ｒ6及びＲ7は、独立に、炭素数１〜１０のアルキルである）である］
を有するアミノアルキルシクロジアミンである脂肪族アミンとの組合せを含み、該アルキルフェノールのアルキル基は炭素数１〜１５であり、
第二アミン硬化剤は脂肪族アミンとフェノールとの組合せを含み、この脂肪族アミンは一般式：
【化７】
2012504200.tif 000002
［式中、Ｒ8は（ＣＨ2）n（式中、ｎは１〜３０である）であり、ｘは１〜１０である］
を有するポリ属アミンを含み、そして
第三アミン硬化剤は、一般式：
【化８】
2012504200.tif 000003
［式中、Ｒ9は炭素数１〜１０のアルキルであり、Ｒ10は炭素数１〜１０のアルキルであり、Ｒ11及びＲ12は、独立に、１〜１５個の炭素原子を有し、Ｒ11及びＲ12は２個のアミン官能基と一緒に複素環式アルキルを形成し（ここで、Ｒ11及びＲ12はそれぞれ脂肪族である）、Ｒ13は水素又はＲ14ＮＨ2若しくはＲ15ＮＨＲ16（式中、Ｒ14は炭素数１〜１０のアルキルであり、Ｒ15は炭素数１〜１０のアルキルであり、Ｒ16は炭素数１〜１０のアルキルである）である］
を有する態様５に記載の反射性標識ラミネート物品。
態様１０．前記基体が道路である態様１、５又は９に記載の反射性標識ラミネート物品。
態様１１．基体に適用されるように適合された少なくとも一つのベース層、該ベース層の全体幅と接触している又は該ベース層の全体よりも小さい幅と接触して、該ベース層の一方の横側が露出されているか若しくは該ベース層の両方の横側が露出されているようになっている少なくとも一つのバインダー層、少なくとも一つのバインダー層は露出された表面を有する、
該少なくとも一つのバインダー層の中に部分的に埋設された又は該一方若しくは両方の横の露出されたベース層側の中にのみ部分的に埋設された保護媒体粒子並びに
該露出されたバインダー層の中に部分的に埋設された反射性粒子
を含む反射性標識ラミネート物品であって、
該ベース層がエポキシ樹脂、ポリウレタン、ポリウレア、ポリウレタン−ウレア、ポリ（ビニルエステル）若しくはポリアクリル樹脂又はこれらの任意の組合せを含み、そして該少なくとも一つのバインダー層がポリウレタン、ポリウレタン−ウレア、ポリウレア、ポリエステル若しくはポリアクリル樹脂又はこれらの任意の組合せを含むが、該少なくとも一つのバインダー層が該ベース層とは異なっている、反射性標識ラミネート物品。
態様１２．該少なくとも一つのベース層が硬化エポキシ樹脂であり、該少なくとも一つのバインダー層が硬化されている態様１１に記載の反射性標識ラミネート物品。
態様１３．前記エポキシ樹脂がビスフェノールＡのジグリシジルエーテルであり、前記バインダー層が非透明であり、そして独立に、ポリウレタン、ポリウレア又はポリウレタン−ウレアであり、
前記反射性粒子の重量基準で大部分が約０．００１２７ｍｍ〜約０．１７７８ｍｍの直径を有し、前記保護媒体粒子の重量基準で大部分が約０．５０８ｍｍ〜約３．１７５ｍｍの直径を有する態様１２に記載の反射性標識ラミネート物品。
態様１４．前記反射性粒子がセラミック、ポリマー、ケイ酸塩、コンポジット粒子又はこれらの組合せを含み、そして前記保護媒体が金属、ポリマー、石、岩、天然材料若しくは合成材料又はこれらの任意の組合せを含み、前記反射性粒子が固体であり、前記少なくとも一つのベース層の合計厚さが約０．１２７ｍｍ〜約０．７６２ｍｍであり、前記一つ又はそれ以上のバインダー層の合計厚さが約０．１２７ｍｍ〜約０．７６２ｍｍである態様１３に記載の反射性標識ラミネート物品。
態様１５．前記反射性粒子がバインダー層の露出された表面の上に配置されており、前記保護材料粒子がバインダー層の露出された表面の上に配置されている態様１３又は態様１４に記載の反射性標識ラミネート物品。
態様１６．前記ベース層の露出された横部分を含み、前記反射性粒子がバインダー層の露出された表面の上に配置されており、前記保護媒体粒子が露出された横ベース層の上に配置されている態様１３又は態様１４に記載の反射性標識ラミネート物品。
【手続補正２】
【補正対象書類名】特許請求の範囲
【補正対象項目名】全文
【補正方法】変更
【補正の内容】
【特許請求の範囲】
【請求項１】
（ａ）基体に適用されるように適合された少なくとも一つのベース層；
（ｂ）前記少なくとも一つのベース層の少なくとも一部の頂部に接触した状態で、配置されている少なくとも一つのバインダー層（該少なくとも一つのバインダー層は該少なくとも一つのベース層とは異なっており、そして前記少なくとも一つのバインダー層は前記少なくとも一つのバインダー層の露出最上層を含む）；
（ｃ）複数の保護媒体粒子であって、（ｉ）該複数の保護媒体粒子が前記少なくとも一つのバインダー層の露出された最上バインダー層の少なくとも一部に部分的に埋設されているか、（ii）前記少なくとも一つのベース層の少なくとも一部がその上にバインダー層を含まない露出表面を含み、かつ前記複数の保護媒体粒子の少なくとも一部がバインダー層を含まない露出表面に部分的に埋設されているか又は（iii）（ｉ）及び（ii）の両方を含んでなる保護媒体粒子（ここで前記複数の保護媒体粒子の少なくとも一部が前記少なくとも一つのバインダー層の露出最上表面の上に伸びている最上表面を有する）、そして
（ｄ）複数の反射性粒子であって、該複数の反射性粒子の少なくとも一部が露出された最上バインダー層の少なくとも一部に部分的に埋設されており；該複数の反射性粒子の少なくとも一部が少なくとも一つのバインダー層の露出最上バインダー層の最上表面の上に伸びる最上表面を有し、そして前記複数の保護媒体粒子の少なくとも一部の最上表面が前記複数の反射性粒子の最上表面の上に伸びている最上表面を有する複数の反射性粒子
を含んでなる反射性標識ラミネート物品。
【請求項２】
前記ベース層がエポキシ樹脂であり、前記反射性粒子がセラミック、ポリマー、ケイ酸塩、コンポジット粒子又はこれらの組合せを含み、そして前記保護媒体粒子が金属、ポリマー、石、岩、天然材料若しくは合成材料又はこれらの任意の組合せを含む請求項１に記載の反射性標識ラミネート物品。
【請求項３】
前記エポキシ樹脂ベース層がアミン硬化剤から誘導され、そして該アミン硬化剤が少なくとも第一アミン硬化剤（ａ）及び第二アミン硬化剤（ｂ）を含み、該アミン硬化剤（ａ）が、ａ＋ｂの０〜９０重量％であり、そして該アミン硬化剤（ｂ）が、ａ＋ｂの１０〜９０重量％である請求項２に記載の反射性標識ラミネート物品。
【請求項４】
前記エポキシベース層が少なくとも３種のアミン硬化剤から誘導され、第一アミン硬化剤（ａ）が０〜９０重量％であり、前記第二アミン硬化剤（ｂ）が５〜９０重量％であり、そして前記第三アミン硬化剤（ｃ）が５〜９０重量％であり（ここで、全てのパーセントはａ＋ｂ＋ｃの重量基準であり、第一アミン硬化剤がアルキルフェノールと、一般式：
【化１】
2012504200.tif 000004
［式中、Ｒ1は炭素数１〜２０のアルキルであり、Ｒ2及びＲ3は、独立に、炭素数１〜１５であり、一緒に複素環式アルキルを形成し、そしてＲ4は水素又はＲ5ＮＨＲ7若しくはＲ6ＮＨＲ7（式中、Ｒ5は炭素数１〜１０のアルキルであり、Ｒ6及びＲ7は、独立に、炭素数１〜１０のアルキルである）である］
を有するアミノアルキルシクロジアミンである脂肪族アミンとの組合せを含み、該アルキルフェノールのアルキル基は炭素数１〜１５であり、そして
第二アミン硬化剤は脂肪族アミンとフェノールとの組合せを含み、この脂肪族アミンは一般式：
【化２】
2012504200.tif 000005
［式中、Ｒ8は（ＣＨ2）n（式中、ｎは１〜３０である）であり、ｘは１〜１０である］
を有するポリ属アミンを含み、そして
第三アミン硬化剤は、一般式：
【化３】
2012504200.tif 000006
［式中、Ｒ9は炭素数１〜１０のアルキルであり、Ｒ10は炭素数１〜１０のアルキルであり、Ｒ11及びＲ12は、独立に、１〜１５個の炭素原子を有し、Ｒ11及びＲ12は２個のアミン官能基と一緒に複素環式アルキルを形成し（ここで、Ｒ11及びＲ12はそれぞれ脂肪族である）、そしてＲ13は水素又はＲ14ＮＨ2若しくはＲ15ＮＨＲ16（式中、Ｒ14は炭素数１〜１０のアルキルであり、Ｒ15は炭素数１〜１０のアルキルであり、Ｒ16は炭素数１〜１０のアルキルである）である］
を有する請求項２に記載の反射性標識ラミネート物品。
【請求項５】
請求項１に記載の反射性標識ラミネート物品であって、
前記少なくとも一つのベース層が前記ベース層の全体幅と接触している又は該ベース層の全体よりも小さい幅と接触して、該ベース層の一方の横側が露出されているか若しくは該ベース層の両方の横側が露出されているようになっており(ここで少なくとも一つのバインダー層は露出された表面を有する）；
該保護媒体粒子が少なくとも一つのバインダー層の中に部分的に埋設されているか又は該一方若しくは両方の横の露出されたベース層側の中にのみ部分的に埋設されており；
該反射性粒子が露出されたバインダー層の中に部分的に埋設されており；そして
該ベース層がエポキシ樹脂、ポリウレタン、ポリウレア、ポリウレタン−ウレア、ポリ（ビニルエステル）若しくはポリアクリル樹脂又はこれらの任意の組合せを含み、そして該少なくとも一つのバインダー層がポリウレタン、ポリウレタン−ウレア、ポリウレア、ポリエステル若しくはポリアクリル樹脂又はこれらの任意の組合せを含むが、該少なくとも一つのバインダー層が該ベース層とは異なっている、反射性標識ラミネート物品。
【請求項６】
前記少なくとも一つのベース層が硬化エポキシ樹脂であり、そして前記少なくとも一つのバインダー層が硬化されている請求項５に記載の反射性標識ラミネート物品。
【請求項７】
前記エポキシ樹脂がビスフェノールＡのジグリシジルエーテルであり、前記バインダー層が非透明であり、そして独立に、ポリウレタン、ポリウレア又はポリウレタン−ウレアであり、そして前記反射性粒子の重量基準で大部分が０．００１２７ｍｍ〜０．１７７８ｍｍの直径を有し、前記保護媒体粒子の重量基準で大部分が０．５０８ｍｍ〜３．１７５ｍｍの直径を有する請求項６に記載の反射性標識ラミネート物品。
【請求項８】
前記反射性粒子がセラミック、ポリマー、ケイ酸塩、コンポジット粒子又はこれらの組合せを含み、そして前記保護媒体が金属、ポリマー、石、岩、天然材料若しくは合成材料又はこれらの任意の組合せを含み、前記反射性粒子が固体であり、前記少なくとも一つのベース層の合計厚さが０．１２７ｍｍ〜０．７６２ｍｍであり、そして前記一つ又はそれ以上のバインダー層の合計厚さが０．１２７ｍｍ〜０．７６２ｍｍである請求項７に記載の反射性標識ラミネート物品。
【請求項９】
前記反射性粒子がバインダー層の露出された表面上に配置されており、前記保護材料粒子がバインダー層の露出された表面上に配置されている請求項７に記載の反射性標識ラミネート物品。
【請求項１０】
前記ベース層の露出された横部分を含み、前記反射性粒子がバインダー層の露出された表面の上に配置されており、前記保護媒体粒子が露出された横ベース層の上に配置されている請求項７に記載の反射性標識ラミネート物品。